(57)【要約】【課題】  廃棄物として処分される廃ガラスを再利用することにより、ランプカバーにおける部品（材料）コストを大幅に削減するとともに、廃棄物の低減による資材節減及び自然環境保護に寄与する。特に、身体障害者の人達に適用可能な仕事を提案する。【解決手段】  ガラスを用いた装飾機能を有するランプカバー部の内部に発光部を収容してなる装飾ランプ１を構成する際に、廃ガラスＧｒをカッティングして形成した少なくとも一枚以上のガラスパーツ５…を接着して組付けることにより装飾機能Ｆｓを持たせるとともに、内部に発光部３を収容可能な空間Ａｉを設け、かつ少なくとも一部に透光面Ｃｏを設けたランプカバー部２を備える。【選択図】  図１
2014150011.tif 000002
【特許請求の範囲】
【請求項１】
ガラスを用いた装飾機能を有するランプカバー部の内部に発光部を収容してなる装飾ランプであって、廃ガラスをカッティングして形成した少なくとも一枚以上のガラスパーツを接着して組付けることにより装飾機能を持たせるとともに、内部に前記発光部を収容可能な空間を設けた少なくとも一部に透光性を有するランプカバー部を備えることを特徴とする装飾ランプ。
【請求項２】
前記廃ガラスには、少なくとも、板ガラス及び／又はステンドグラスを含むことを特徴とする請求項１記載の装飾ランプ。
【請求項３】
前記ガラスパーツは、矩形状に形成することを特徴とする請求項１又は２記載の装飾ランプ。
【請求項４】
前記ガラスパーツは、外縁部の一部又は全部をガリ工法により処理してなることを特徴とする請求項１，２又は３記載の装飾ランプ。
【請求項５】
前記ランプカバー部は、前記ガラスパーツの面を水平方向に配して順次積み重ねることを特徴とする請求項１〜４のいずれかに記載の装飾ランプ。
【請求項６】
前記ランプカバー部は、前記ガラスパーツの面を垂直方向（鉛直方向）に配してなることを特徴とする請求項１〜４のいずれかに記載の装飾ランプ。
【発明の詳細な説明】
【技術分野】
【０００１】
本発明は、ガラスを用いた装飾機能を有する透光性カバー部の内部に発光部を収容してなる装飾ランプに関する。
【背景技術】
【０００２】
従来、ガラスを用いた装飾機能を有する透光性カバー部の内部に発光部を収容してなる装飾ランプとしては、特許文献１で開示される装飾品，特許文献２で開示される装飾用照明装置及び特許文献３で開示されるテーブル装飾ランプが知られている。
【０００３】
特許文献１で開示される装飾品は、少量の着色ガラスと線材とで、軽量で安価に、また短時間に装飾品を製造することを目的としたものであり、装飾品としてのランプは、全休として角柱状に形成されたフレームを備え、このフレームの各側面に着色ガラスと支持材が所定形状となるように固定されるとともに、着色ガラスは所定形状に形成され、支持材を介してフレームに保持され、他方、フレームの内側中央部には電球が設けられるとともに、フレームの全側面には、着色ガラスと支持材とを覆って透光性を有するシートが貼付され、これにより、電球を点灯させれば、電球の光によって着色ガラスの色と線材の影とがシートに投影されるように構成されたものである。
【０００４】
また、特許文献２で開示される装飾用照明装置は、暗い室内でも高輝度の蛍光色を放射する装飾用照明装置の提供を目的とするものであり、基台上にランプを配置した照明装置において、該ランプの周囲をガラス製カバーで囲繞すると共に、該カバーを形成する基材内には蓄光性蛍光特性を有する発光体層が挟着・焼成され、発光体層は、蓄光性蛍光特性を有する発光体を含有した複数の無機質人工セラミックス骨材により成り、カバーは複数のガラス基材層と発光体層とを交互に積層して形成するようにしたものである。
【０００５】
さらに、特許文献３で開示されるテーブル装飾ランプは、キャンドルの炎に代わって安全性を確保し、且つフロアおよびテーブル上の美観を損ねることなく、自由なテーブルコーディネーションが容易になるテーブル装飾ランプの提供を目的とするものであり、テーブルのコーディネーションを容易にする装飾照明具であって、バッテリー式光源を上向きにして光透過性の容器内の下部に着脱可能に入れ、光源の光を透過および／または乱反射させる粒状またはリボン状の光拡散手段で覆うとともに、上部に光を反射させる錐状または球状の反射鏡を設けたものである。
【先行技術文献】
【特許文献】
【０００６】
【特許文献１】特開２００３−０３９９００号公報
【特許文献２】特開２００３−１６２９０９号公報
【特許文献３】特開２００３−３３８２０２号公報
【発明の概要】
【発明が解決しようとする課題】
【０００７】
しかし、上述した従来の装飾ランプ（装飾品，装飾用照明装置，テーブル装飾ランプ）は、次のような問題点があった。
【０００８】
第一に、ランプを覆う装飾性を有するカバー部のコスト面に着目した場合、独立したいわば専用のカバー部として製作するとともに、装飾性を得る手段として純粋なガラス以外に他の部品（材料）を組合わせている。したがって、使用部品点数（材料）の増加を招くとともに、製作工数の増加及び製作工程の煩雑化を招くなど、部品（材料）コスト及び製造コスト双方の増加に基づくコストアップを避けられない。
【０００９】
第二に、装飾性を有するカバー部の組立面に着目した場合、専用の製造装置（製造工程）や工具が必要となるため、そのための製造設備を確保する必要がある。したがって、だれでも簡単に製作できるというものではなく、特に、身体障害者等の仕事として考えた場合、適用が困難となる難点がある。
【００１０】
本発明は、このような背景技術に存在する課題を解決した装飾ランプの提供を目的とするものである。
【課題を解決するための手段】
【００１１】
本発明は、上述した課題を解決するため、ガラスを用いた装飾機能を有する透光性カバー部の内部に発光部を収容してなる装飾ランプ１を構成するに際して、廃ガラスＧｒをカッティングして形成した少なくとも一枚以上のガラスパーツ５…を接着して組付けることにより装飾機能Ｆｓを持たせるとともに、内部に発光部３を収容可能な空間Ａｉを設け、かつ少なくとも一部に透光面Ｃｏを設けたランプカバー部２を備えてなることを特徴とする。
【００１２】
この場合、発明の好適な態様により、廃ガラスＧｒには、少なくとも、板ガラスＧｒａ及び／又はステンドグラスＧｒｂを含ませることができる。また、ガラスパーツ５…は矩形状に形成することができるとともに、外縁部５ｓ…の一部又は全部をガリ工法により処理することができる。なお、ランプカバー部２は、ガラスパーツ５…の面５ｆ…を水平方向に配して順次積み重ねて構成してもよいし、ガラスパーツ５…の面５ｆ…を垂直方向（鉛直方向）に配して構成してもよい。
【発明の効果】
【００１３】
このような構成を有する本発明に係る装飾ランプ１によれば、次のような顕著な効果を奏する。
【００１４】
（１）  廃ガラスＧｒをカッティングして形成した複数の短冊状のガラスパーツ５…を接着して組付けることにより装飾機能Ｆｓを持たせたため、基本的に、廃ガラスＧｒを利用したことに伴うメリットを享受できる。即ち、本来、廃棄物として処分される廃ガラスＧｒを再利用できるとともに、ランプカバー部２の使用部品（材料）は、短冊状のガラスパーツ５…と接着剤で足りる。したがって、ランプカバー部２を製作するための部品（材料）コストを大幅に削減できるとともに、廃棄物の低減による資材節減及び自然環境保護にも寄与できる。
【００１５】
（２）  ランプカバー部２は、複数の短冊状のガラスパーツ５…を接着して組付ければ足りるため、製造装置等の専用の製造設備が不要となり、手作業により誰でも何処でも容易に製作することができる。したがって、特に、身体障害者の人達の仕事としても最適となる。
【００１６】
（３）  好適な態様により、廃ガラスＧｒに、少なくとも、板ガラスＧｒａ及び／又はステンドグラスＧｒｂを含ませれば、一般住宅の窓ガラスに使用される板ガラスＧｒａをはじめ、お店等に使用されるステンドグラスＧｒｂも利用できるなど、様々な分野における廃ガラスＧｒを広く再利用できる。
【００１７】
（４）  好適な態様により、ガラスパーツ５…を矩形状に形成すれば、パーツ単位の形状を最もシンプルにすることができるため、手作業或いは機械製造であっても容易に製作することができる。
【００１８】
（５）  好適な態様により、ガラスパーツ５…における外縁部５ｓ…の一部又は全部をガリ工法により処理すれば、単純形状（短冊状）のガラスパーツ５…であっても、他の部品や材料を付加することなく効果的な装飾性を確保できる。
【００１９】
（６）  好適な態様により、ランプカバー部２を構成するに際し、ガラスパーツ５…の面５ｆ…を水平方向に配して順次積み重ねた構成とすれば、ランプカバー部２全体における立体感や重厚感等の幾何学的デザインを容易に高めることができる。
【００２０】
（７）  好適な態様により、ランプカバー部２を構成するに際し、ガラスパーツ５…の面５ｆ…を垂直方向（鉛直方向）に配した構成とすれば、ガラスパーツ５…は少ない数量で足りるとともに、特に、平面的な配置を採用する場合であっても、前述した板ガラスＧｒａ及びステンドグラスＧｒｂの双方を利用することにより装飾性を効果的に高めることができる。
【図面の簡単な説明】
【００２１】
【図１】本発明の好適実施形態に係る装飾ランプに用いるランプカバー部の一部を示す斜視図、
【図２】同装飾ランプの正面断面図、
【図３】同装飾ランプの製作手順をフローチャートで示した製作工程図、
【図４】同装飾ランプの分解斜視図、
【図５】本発明の変更実施形態に係る装飾ランプに用いるランプカバー部の一部を示す平面図、
【図６】本発明に係る装飾ランプの他の使用例を示す外観斜視図、
【図７】本発明の他の変更実施形態に係る装飾ランプの外観斜視図、
【図８】本発明の他の変更実施形態に係る装飾ランプの外観斜視図、
【発明を実施するための形態】
【００２２】
次に、本発明に係る好適実施形態を挙げ、図面に基づき詳細に説明する。
【００２３】
まず、本実施形態に係る装飾ランプ１の構成について、図１及び図２を参照して説明する。
【００２４】
装飾ランプ１は、大別して、ランプカバー部２と発光部３を備えて構成する。ランプカバー部２は、図１に示すように、廃ガラスＧｒをカッティングして形成した複数の短冊状のガラスパーツ５…を接着して組付けることにより装飾機能Ｆｓを持たせるとともに、内部に発光部３を収容可能な空間Ａｉを設けて構成する。図１は、上端を閉塞する図２に示す上面部１１を除いた状態のランプカバー部２を示している。
【００２５】
例示のガラスパーツ５は、無着色の透明な板ガラスＧｒａ（廃ガラスＧｒ）を短冊状にカッティング、具体的には、厚さ５〔ｍｍ〕の板ガラスＧｒａを、１５〔ｍｍ〕×１００〔ｍｍ〕にカッティングしたものを使用した。また、例示のガラスパーツ５は、外縁部５ｓの一部又は全部（例示は全部）をガリ工法により処理した。ガリ工法とは、グロージングプライヤ等により外縁部５ｓを削り取る（砕き取る）処理であり、ランダム形状の砕き面が形成される。このようなガリ工法による処理を行えば、単純形状（短冊状）のガラスパーツ５…であっても、他の部品や材料を付加することなく効果的な装飾性を確保できる利点がある。
【００２６】
一方、発光部３は、図２に示すように、基部１２とこの基部１２の上面中央に配する発光体ユニット１３を備える。基部１２は、一定の厚さを有する木質板Ｂを正方形に形成したものを利用できる。木質板Ｂは、天然木であってもよいし人工木であってもよい。この場合、人工木には、廃木材の粉体と廃プラスチックを一定の割合で混合し、溶解した材料を成形（発泡成形）したものを利用できる。また、発光体ユニット１３には、基部１２の上面にネジ２１…等により取付ける発光体ソケット２２と、この発光体ソケット２２に着脱する発光体２３により構成する。発光体２３には様々な原理による発光体を用いることができる。本実施形態に係るランプカバー部２は、後述するように、側面の通気性が確保されるため、発熱を有する発光体でも使用可能である。したがって、ＬＥＤ（発光ダイオード）電球も使用できるとともに、公知の発光体である電球や蛍光ランプ等も使用可能である。
【００２７】
次に、本実施形態に係る装飾ランプ１の製作方法について、図４を参照しつつ図３に示す製作工程図を参照して説明する。
【００２８】
最初に、廃ガラスＧｒの回収を行う（ステップＳ１）。この場合、廃ガラスＧｒには、ガラス工場等でガラス製品を製造した後の切れ端や住宅解体時に発生する廃棄用のガラス等、本来廃棄される各種ガラスを含む。廃ガラスＧｒを回収したなら、使用可能な廃ガラスＧｒの選別を行う（ステップＳ２）。例示の場合、無着色の透明な板ガラスＧｒａであって、厚さ５〔ｍｍ〕のものを選択するとともに、１５〔ｍｍ〕×１００〔ｍｍ〕の短冊状を得られる大きさのものを選択する。
【００２９】
そして、選択した板ガラスＧｒａをカッティングして、１５〔ｍｍ〕×１００〔ｍｍ〕の長方形（短冊状）のガラスパーツ５を得る（ステップＳ３）。この場合、カッティングは、カッティング工具を利用した手作業によるカッティングでもよいし、カッティングマシンを利用した動力によるカッティングであってもよい。また、得られたガラスパーツ５に対してはガリ工法による処理を行う（ステップＳ４）。即ち、ガラスパーツ５の四辺に対して、グロージングプライヤ等により外縁部５ｓを削り取る（砕き取る）処理を行う。これにより、ランダム形状の砕き面が形成されるため、さらに、この砕き面に対しては、人の手等が触れても傷付くことがないように、砕いた尖形部分がある程度の丸みを持つようにブラスト処理を行う（ステップＳ５）。以上の工程により最終的なガラスパーツ５を得るため、同様のガラスパーツ５…を必要枚数だけ製作する。
【００３０】
次いで、得られたガラスパーツ５…を用いてランプカバー部２の組付けを行う。この場合、図１及び図４に示すように、四つのガラスパーツ５…を用いて正方形の枠体Ｗを組付ける。即ち、平行に配した一対のガラスパーツ５，５に対して、上から平行に配した一対のガラスパーツ５，５を、例えば、透明な接着剤を用いて接着する。この場合、上に配したガラスパーツ５，５は、下に配したガラスパーツ５，５に対して直角関係に配し、各ガラスパーツ５…の端部同士を接着して組付ける（ステップＳ６，Ｓ７）。そして、このような正方形の枠体Ｗ…を必要数量だけ製作するとともに、得られた枠体Ｗ…を順次積み重ねることにより、ランプカバー部２を製作する（ステップＳ８，Ｓ６，Ｓ７…）。なお、枠体Ｗ…同士の接着も各ガラスパーツ５…の接着と同様、接着剤を塗布して接着できる。例示する枠体Ｗ…の数量は１０個である。したがって、得られるランプカバー部２はほぼ全面に透光面Ｃｏを有することになる。
【００３１】
ところで、このようなガラスパーツ５…の組付け手順は任意であり、上述したように、予め１０個の枠体Ｗ…を製作し、この後、１０個の枠体Ｗ…を積み重ねてもよいし、或いは、平行となる一対のガラスパーツ５，５を下から順番に向きを交互に９０〔゜〕変え、順次積み重ねて行ってもよい。これにより、図１に示すランプカバー部２を得ることができる。このように、ランプカバー部２を構成するに際し、ガラスパーツ５…の面５ｆ…を水平方向に配して順次積み重ねた構成とすれば、ランプカバー部２全体における立体感や重厚感等の幾何学的デザインを容易に高めることができる利点がある。
【００３２】
一方、発光部３の製作を行う（ステップＳ９）。この発光部３の製作は、ランプカバー部２を製作する前に別工程で製作してもよいし、ランプカバー部２を製作した後、接着剤が乾燥（硬化）する時間を利用して製作してもよい。発光部３を製作するに際しては、まず、一定の厚さを有する木質板Ｂにより基部１２を製作する。この基部１２の平面視の形状は正方形とし、大きさは上述した枠体Ｗの外郭形状に一致させることが望ましい。また、基部１２の上面中央には、発光体ソケット２２をネジ２１…を用いて固定するとともに、この発光体ソケット２２には、ＬＥＤ電球等の発光体２３を装着する。なお、発光体ソケット２２から外部に導出させる電源ケーブル（図示を省略）は、基部１２に上下面に貫通形成した貫通孔及び基部１２の底面に形成したガイド溝等を介して外部に導出することができるし、或いは基部１２の上面を沿わせてそのまま外部に導出させてもよい。
【００３３】
ランプカバー部２と発光部３の製作が終了したなら最終組立を行う（ステップＳ１０）。この場合、発光体ユニット１３を取付けた基部１２の上面に、ランプカバー部２の底部を、接着剤を用いて取付ける。また、ランプカバー部２の上端には、正方形の上面部１１を取付けて上端の開口を覆う。上面部１１には、ガラスパーツ５と同様の廃ガラスＧｒａを、一辺が１００〔ｍｍ〕の正方形パネルとして形成し、接着剤を用いてランプカバー部２の上端に接着する。なお、上面部１１には、必ずしもガラスパーツ５…と同様の廃ガラスＧｒａを用いることを要せず、例えば、基部１２と同様の材質であってもよいし、必要により模様や着色等を施してもよい。また、上面部１１は、必ずしも設けることも要せず、設けるか否かは任意である。これにより、図２に示す目的の装飾ランプ１を得ることができる。
【００３４】
よって、このような装飾ランプ１によれば、廃ガラスＧｒをカッティングして形成した複数の短冊状のガラスパーツ５…を接着して組付けることにより装飾機能Ｆｓを持たせたため、基本的に、廃ガラスＧｒを利用したことに伴うメリットを享受できる。即ち、本来、廃棄物として処分される廃ガラスＧｒを再利用できるとともに、ランプカバー部２の使用部品（材料）は、短冊状のガラスパーツ５…と接着剤で足りる。したがって、ランプカバー部２を製作するための部品（材料）コストを大幅に削減できるとともに、廃棄物の低減による資材節減及び自然環境保護にも寄与できる。また、ランプカバー部２は、複数の短冊状のガラスパーツ５…を接着して組付ければ足りるため、製造装置等の専用の製造設備が不要となり、手作業により誰でも何処でも容易に製作することができる。したがって、特に、身体障害者の人達の仕事としても最適となる。
【００３５】
次に、本発明の変更実施形態に係る装飾ランプ１について、図５〜図８を参照して説明する。
【００３６】
図５は、図１におけるランプカバー部２の変更例を示す。即ち、図１に示したランプカバー部２は、各枠体Ｗ…の向き（水平方向における角度）を一致させることにより全体形状を直方体（又は立方体）になるように組付けたが、図５に示すランプカバー部２は各枠体Ｗ…をそれぞれ少しずつ向き（角度）を異ならせて積み重ねたものである。したがって、ランプカバー部２における縦方向の辺は、図１の場合、垂直方向に直線形状となるが、図５の場合、螺旋形状となり、上から見た形状は、図５に示す形状となる。なお、図５におけるガラスパーツ５…は、ガリ工法による処理を行わず、ブラスト処理のみを行った例を示している。
【００３７】
図６は、図１における装飾ランプ１（ランプカバー部２）の使用上の変更例を示す。即ち、図６は装飾ランプ１を庭園灯Ｍ１として使用したものであり、いわば図２に示した装飾ランプ１における基部１２の代わりにポール３１を用いたものである。この場合、庭園灯Ｍ１は屋外に設置するため、ポール３１に木質板Ｂを用いる際には前述した人工木を用いることが望ましい。このように、装飾ランプ１は、他の部材（ポール３１等）と組合わせることにより各種の形態により実施可能である。
【００３８】
図７は、ランプカバー部２の形態上の変更例を示す。即ち、図１に示したランプカバー部２は、ガラスパーツ５…の面５ｆ…を水平方向に配して順次積み重ねて構成した場合を示したが、図７に示すランプカバー部２は、ガラスパーツ５…の面５ｆ…を垂直方向（鉛直方向）に配して構成したものである。また、廃ガラスＧｒ…として、前述した板ガラスＧｒａ…に加えて、ステンドグラスＧｒｂ…を使用した。したがって、例示の場合、基部１２の平面視を円形に形成するとともに、短冊状に形成した、ステンドグラスＧｒｂ…と板ガラスＧｒａ…を基部１２の上面における外周付近に、周方向に沿って交互に配して構成した。
【００３９】
このように、図７の変更例は、廃ガラスＧｒ…として、少なくとも板ガラスＧｒａ…とステンドグラスＧｒｂ…の双方を利用できるため、一般住宅の窓ガラスに使用される板ガラスＧｒａをはじめ、お店等に使用されるステンドグラスＧｒｂも利用できるなど、様々な分野における廃ガラスＧｒを広く再利用できる利点がある。また、図７の変更例は、ランプカバー部２を構成するに際し、ガラスパーツ５…の面５ｆ…を垂直方向に配して構成したため、ガラスパーツ５…は少ない数量で足りるとともに、特に、平面的な配置を採用する場合であっても、前述した板ガラスＧｒａ及びステンドグラスＧｒｂの双方を利用することにより装飾性を効果的に高めることができる利点がある。
【００４０】
図８も、ランプカバー部２の形態上の変更例を示す。図８に示すランプカバー部２は、その一部にのみ透光面Ｃｏを設けたものである。例示のランプカバー部２は、前述した木質板Ｂ…を組合わせることにより細長い直方体ケース３５を形成し、かつその一面（前面）又は複数面を開放した開口部３５ｏとして形成するとともに、この開口部３５ｏに一枚又は二枚以上のガラスパーツ５（板ガラスＧｒａ）を付設して構成したものである。したがって、開口部３５ｏの全面はガラスパーツ５により覆われる。例示は、直方体ケース３５の一面に一枚のガラスパーツ５を付設した最もシンプルな形態を示す。図８において符号３６は直方体ケース３５の底面に設けた基台を示す。
【００４１】
なお、図５〜図８におけるその他の構成は、図１〜図４に示した構成と同様に構成することができるとともに、同様の作用効果を得ることができる。このため、図５〜図８において、図１〜図４と同一部分には同一符号を付してその構成を明確にするとともに、その詳細な説明は省略する。
【００４２】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。例えば、廃ガラスＧｒとして、板ガラスＧｒａとステンドグラスＧｒｂを例示したが、他の各種ガラスを利用することができる。また、ガラスパーツ５…の外縁部５ｓ…の全部をガリ工法により処理する場合を示したが、一部のみに処理を施してもよい。さらに、ランプカバー部２は、ガラスパーツ５…の面５ｆ…を水平方向に配して順次積み重ねて構成する例とガラスパーツ５…の面５ｆ…を垂直方向（鉛直方向）に配して構成する例を示したが、これ以外の組付構成を排除するものではない。
【産業上の利用可能性】
【００４３】
本発明に係る装飾ランプは、装飾品（置物）や装飾機能を有する照明器具等として様々な用途に利用することができる。
【符号の説明】
【００４４】
１：装飾ランプ，２：ランプカバー部，Ｇｒ：廃ガラス，Ｃｏ：透光面，５…：ガラスパーツ，Ｆｓ：装飾機能，３：発光部，５ｆ…：ガラスパーツの面，Ａｉ：空間，Ｇｒａ：板ガラス，Ｇｒｂ：ステンドグラス，５ｓ…：ガラスパーツの外縁部
【図１】
2014150011.tif 000003
【図２】
2014150011.tif 000004
【図３】
2014150011.tif 000005
【図４】
2014150011.tif 000006
【図５】
2014150011.tif 000007
【図６】
2014150011.tif 000008
【図７】
2014150011.tif 000009
【図８】
2014150011.tif 000010